(57)【要約】【課題】ハウジングに収容されている電子部品のリード線が当該ハウジングに設けられている保持部に容易かつ確実に収容されるモータ装置を実現する。【解決手段】モータ装置は、アーマチュアを収容するモータハウジングと、ブラシ保持部および電子部品保持部が設けられたブラシホルダ５０と、本体および当該本体から延出するリード線７５ａ，７５ｂを備えるコンデンサと、を有する。ブラシホルダ５０には、コンデンサのリード線７５ａを前記モータハウジングに接触するように保持する保持溝５７と、コンデンサのリード線７５ａを案内する案内部と、が設けられる。前記案内部は、リード線７５ａを互いに異なる方向に案内する案内穴および案内溝５８ｂを含み、前記案内穴はリード線７５ａを案内溝５８ｂへ案内し、案内溝５８ｂはリード線７５ａを保持溝５７へ案内する。【選択図】図８
2020171081.tif 000002
【特許請求の範囲】
【請求項１】
有底筒状のモータハウジングと、
前記モータハウジングに収容され、回転軸を備えるアーマチュアと、
前記回転軸に固定されたコンミテータと、
前記コンミテータに摺接するブラシと、
本体および当該本体から延出するリード線を備える電子部品と、
前記ブラシを保持するブラシ保持部および前記電子部品を保持する電子部品保持部が設けられたブラシホルダと、を有するモータ装置であって、
前記ブラシホルダに、前記電子部品の前記リード線を前記モータハウジングに接触するように保持する保持部と、前記電子部品の前記リード線を案内する案内部と、が設けられ、
前記案内部は、前記リード線を互いに異なる方向に案内する第１案内部および第２案内部を含み、
前記第１案内部は、前記リード線を前記第２案内部へ案内し、前記第２案内部は、前記リード線を前記保持部へ案内することを特徴とするモータ装置。
【請求項２】
前記ブラシホルダは、前記電子部品保持部が形成された隔壁部および当該隔壁部から立ち上がる側壁部を有し、
前記保持部が、前記側壁部に形成された保持溝であることを特徴とする請求項１に記載のモータ装置。
【請求項３】
前記第１案内部が、前記回転軸に沿って形成された案内穴であり、
前記第２案内部が、一端が前記案内穴に連通し、他端が前記保持溝に連通する案内溝であることを特徴とする請求項２に記載のモータ装置。
【請求項４】
前記案内溝が、底部と、前記底部から立ち上がり、かつ、互いに対向する一対の内側部と、を備え、
前記一対の内側部は、前記底部に近づくほど対向間隔が狭くなるように傾斜していることを特徴とする請求項３に記載のモータ装置。
【請求項５】
請求項２〜４のいずれか１項に記載のモータ装置において、
前記ブラシホルダの前記隔壁部には、外部コネクタが接続される接続端子が設けられ、
前記電子部品保持部は、前記接続端子が設けられている側とは、前記回転軸を挟んで反対側に設けられていることを特徴とするモータ装置。
【発明の詳細な説明】
【技術分野】
【０００１】
本発明は、電子部品を内蔵するモータ装置に関するものである。
【背景技術】
【０００２】
現在、様々なモータ装置が開発され、実用化されている。それら既存のモータ装置の中には電子部品を内蔵するものがある。電子部品を内蔵するモータ装置の一例として、電磁ノイズの発生を抑制したり、防止したりするための電子部品を内蔵するモータ装置がある。特許文献１には、ブラシとコンミテータとの間における電磁ノイズの発生を防止するためのコンデンサを備えるモータが記載されている。
【０００３】
特許文献１に記載されているモータは、金属材料からなるヨークハウジングおよび樹脂材料からなる樹脂ハウジングを有し、樹脂ハウジング内にノイズ防止回路が設けられている。ノイズ防止回路は、樹脂ハウジングに収容されている回路基板と、回路基板に搭載された抵抗およびコンデンサから構成されている。コンデンサは２本の線状の足（リード線）を備えている。コンデンサのリード線の一方は回路基板に半田付けされ、コンデンサのリード線の他方は、樹脂ハウジングの内側面，開口端面および外側面に沿って略コ字状に折り曲げられて樹脂ハウジングの外に引き出されている。樹脂ハウジングの外周面には溝が形成されており、この溝に樹脂ハウジングの外に引き出されたコンデンサのリード線が収容されている。さらに、樹脂ハウジングの外周面に形成された溝に収容されているコンデンサのリード線は、ヨークハウジングの内周面に圧接している。具体的には、上記溝が形成されている樹脂ハウジングの一部（嵌合部）がヨークハウジングに嵌挿されており、この結果、上記溝に収容されているコンデンサのリード線がヨークハウジングの内周面に圧接されている。
【先行技術文献】
【特許文献】
【０００４】
【特許文献１】特開２００１−１８６７１２号公報
【発明の概要】
【発明が解決しようとする課題】
【０００５】
特許文献１に記載されているモータが備えるコンデンサのリード線は、樹脂ハウジングの内側面，開口端面および外側面に沿って折り曲げられて当該樹脂ハウジングの外周面に形成されている溝に収容されている。しかし、特許文献１に記載されている樹脂ハウジングやヨークハウジングは、上記溝に収容すべきコンデンサのリード線を位置決めしたり、当該リード線を上記溝に向けて案内したりするための構造を何ら備えていない。このため、コンデンサのリード線を上記溝に確実に収容することは容易ではない。
【０００６】
特許文献１によれば、樹脂ハウジングの嵌合部をヨークハウジングに嵌挿すると、樹脂ハウジングの外に突出しているコンデンサのリード線がヨークハウジングの内側面に押されて溝に収容される。しかしながら、既述のとおり、特許文献１に記載されている樹脂ハウジングやヨークハウジングには、溝に収容すべきコンデンサのリード線を位置決めしたり、案内したりするための構造は何ら設けられていない。つまり、樹脂ハウジングの嵌合部がヨークハウジングに嵌挿される際、コンデンサのリード線は何ら位置決めされておらず、また、溝に向けて案内されることもない。一方、コンデンサを含む各種電子部品のリード線は、非常に細く、かつ、弾性を有している。このため、細くて弾性を有する電子部品のリード線を、何ら位置決めや案内をすることなく、当該リード線の太さと同程度の幅しかない溝に収容することは容易ではない。
【０００７】
よって、特許文献１に記載されているモータでは、コンデンサのリード線が意図したとおりに溝に収容されず、ヨークハウジングの内側面と樹脂ハウジングの外側面との間に挟まれてしまったり、折れ曲がってしまったり、捩れてしまったりする虞がある。
【０００８】
本発明の目的は、モータ装置のハウジングに収容されている電子部品のリード線が当該ハウジングに設けられている保持部に容易かつ確実に収容されるようにすることである。
【課題を解決するための手段】
【０００９】
本発明のモータ装置は、有底筒状のモータハウジングと、前記モータハウジングに収容され、回転軸を備えるアーマチュアと、前記回転軸に固定されたコンミテータと、前記コンミテータに摺接するブラシと、本体および当該本体から延出するリード線を備える電子部品と、前記ブラシを保持するブラシ保持部および前記電子部品を保持する電子部品保持部が設けられたブラシホルダと、を有する。前記ブラシホルダには、前記電子部品の前記リード線を前記モータハウジングに接触するように保持する保持部と、前記電子部品の前記リード線を案内する案内部と、が設けられる。前記案内部は、前記リード線を互いに異なる方向に案内する第１案内部および第２案内部を含み、前記第１案内部は、前記リード線を前記第２案内部へ案内し、前記第２案内部は、前記リード線を前記保持部へ案内する。
【００１０】
本発明の一態様では、前記ブラシホルダは、前記電子部品保持部が形成された隔壁部および当該隔壁部から立ち上がる側壁部を有し、前記保持部は、前記側壁部に形成された保持溝である。
【００１１】
本発明の他の一態様では、前記第１案内部は、前記回転軸に沿って形成された案内穴である。また、前記第２案内部は、一端が前記第１案内穴に連通し、他端が前記保持溝に連通する案内溝である。
【００１２】
本発明の他の一態様では、前記案内溝は、底部と、前記底部から立ち上がり、かつ、互いに対向する一対の内側部と、を備える。前記一対の内側部は、前記底部に近づくほど対向間隔が狭くなるように傾斜する。
【００１３】
本発明の他の一態様では、前記ブラシホルダの前記隔壁部には、外部コネクタが接続される接続端子が設けられ、前記電子部品保持部は、前記接続端子が設けられている側とは、前記回転軸を挟んで反対側に設けられる。
【発明の効果】
【００１４】
本発明によれば、ハウジングに収容されている電子部品のリード線が当該ハウジングに設けられている保持部に容易かつ確実に収容されるモータ装置が実現される。
【図面の簡単な説明】
【００１５】
【図１】モータ装置の基本構造を示す説明図である。
【図２】ブラシホルダの斜視図である。
【図３】ブラシホルダの他の斜視図である。
【図４】コンデンサを電子部品保持部に収容する手順の一例を示す斜視図である。
【図５】コンデンサが電子部品保持部に収容される過程を模式的に示す断面図である。
【図６】案内穴に挿通された後であって、案内溝および保持溝に収容される前のリード線を示す部分拡大図である。
【図７】案内溝を示す部分拡大図である。
【図８】案内溝および保持溝に収容された後のリード線を示す部分拡大図である。
【図９】保持溝に収容されたリード線を示す部分拡大図である。
【図１０】リード線とモータハウジングとの接触状態を示す部分拡大図である。
【発明を実施するための形態】
【００１６】
以下、本発明のモータ装置の実施形態の一例について図面を参照しながら詳細に説明する。本実施形態に係るモータ装置は、自動車等の車両に搭載されるパワーウィンド装置の駆動源として用いられる。より具体的には、本実施形態に係るモータ装置は、ウィンドガラスを昇降させるウィンドレギュレータの駆動源として用いられる。もっとも、本発明のモータ装置の用途はパワーウィンド装置の駆動源に限られない。
【００１７】
図１に示されるように、本実施形態に係るモータ装置１０は、モータ部２０とギヤ部３０とを備えており、これらモータ部２０とギヤ部３０とはネジ１１によって互いに連結され、一体化されている。つまり、モータ装置１０は、ユニット化されたモータ部２０およびギヤ部３０によって構成されている。
【００１８】
モータ部２０は、磁性材料からなるモータハウジング４０と、樹脂材料からなるブラシホルダ５０と、を備えている。一方、ギヤ部３０は、樹脂材料からなるギヤハウジング３１を備えている。
【００１９】
モータ部２０を構成しているモータハウジング４０は、磁性材料からなる板材をプレス加工などによって所定形状に成形したものである。具体的には、モータハウジング４０は有底筒状である。より具体的には、モータハウジング４０は、底部４１，開口部４２および周壁部４３を備えている。つまり、モータハウジング４０の軸方向一端側は閉塞されており、軸方向他端側は開口している。また、モータハウジング４０の周壁部４３は、対向する一対の平坦部４３ａおよび対向する一対の円弧部４３ｂから構成されている。つまり、モータハウジング４０は、略小判形の断面形状を有する。尚、図１には、２つの平坦部４３ａのうちの一方のみが示されている。
【００２０】
モータハウジング４０内には、複数のマグネット４４が収容されている。それぞれのマグネット４４は、円弧状の断面形状を有しており、モータハウジング４０の２つの円弧部４３ｂの内側にそれぞれ固定されている。つまり、本実施形態におけるマグネット４４の数は２つである。対向する２つのマグネット４４の間には、コイル４５を備えるアーマチュア４６が配置されている。各マグネット４４とアーマチュア４６が備えるコイル４５との間には隙間（エアギャップ）が設けられており、アーマチュア４６は、モータハウジング４０内において回転自在とされている。さらに、アーマチュア４６は、モータ部２０とギヤ部３０とに跨って延びる回転軸４６ａを備えている。回転軸４６ａの一端側は、モータハウジング４０の底部４１に設けられている第１軸受４７ａによって回転自在に支持されている。一方、回転軸４６ａの他端側は、ブラシホルダ５０から突出してギヤハウジング３１の内部に進入し、第２軸受４７ｂによって回転自在に支持されている。以下の説明では、回転軸４６ａを「アーマチュア軸４６ａ」と呼ぶ場合がある。
【００２１】
アーマチュア軸４６ａには筒状のコンミテータ４８が固定されている。言い換えれば、アーマチュア軸４６ａは、筒状のコンミテータ４８を貫通している。コンミテータ４８には複数の整流子片が設けられている。それら複数の整流子片は、コンミテータ４８の外周面上に、当該コンミテータ４８の周方向に沿って所定間隔で配置されている。また、それぞれの整流子片には、コイル４５を形成している導線（巻き線）が接続されている。
【００２２】
モータハウジング４０と共にモータ部２０を構成しているブラシホルダ５０は、モータハウジング４０の開口部４２に嵌合されている。言い換えれば、モータハウジング４０の開口部４２は、ブラシホルダ５０によって閉塞されている。また、アーマチュア軸４６ａは、ブラシホルダ５０の端面から突出してギヤハウジング３１の内部に進入している。
【００２３】
ブラシホルダ５０は、コンミテータ４８に設けられている整流子片に摺接する２つのブラシ７０を保持している（図１には一方のブラシ７０のみが示されている。）。それぞれのブラシ７０は、バネ部材７１によってコンミテータ４８に向けて付勢され、整流子片に接触する。よって、ブラシ７０に駆動電流が供給されると、コンミテータ４８を介してコイル４５に電流が流れて回転力（電磁力）が発生し、ひいてはアーマチュア軸４６ａが所定の回転数および回転トルクで回転する。
【００２４】
上記のようにして回転するアーマチュア軸４６ａには、複数のセンサマグネット４９が装着されている。それらセンサマグネット４９は、アーマチュア軸４６ａの回転方向に沿ってＮ極とＳ極とが交互に並ぶように、アーマチュア軸４６ａの外周面上に配置されている。アーマチュア軸４６ａの回転に伴ってセンサマグネット４９が回転すると、周囲の磁界が変化する。この磁界変化は、ブラシホルダ５０の周囲に配置されている回転センサ３２によって検出される。
【００２５】
ブラシホルダ５０から突出しているアーマチュア軸４６ａの先端側には、ウォームギヤ３３が設けられている。ウォームギヤ３３の歯は、ギヤハウジング３１内に回転自在に収容されているウォームホイール３４の歯に噛み合わされており、アーマチュア軸４６ａの回転がウォームギヤ３３を介してウォームホイール３４に伝達される。尚、ウォームギヤ３３およびウォームホイール３４は減速機構として機能する。また、ギヤハウジング３１は、ウォームホイール３４等を収容するギヤケースやギヤケースの開口部を閉塞するギヤカバー等から構成されている。
【００２６】
ウォームホイール３４の中心には出力軸３５が設けられている。出力軸３５は、ギヤカバーを貫通してギヤハウジング３１の外に突出している。ギヤハウジング３１の外に突出している出力軸３５の突出部分には、ウィンドレギュレータの入力ギヤ（不図示）に噛み合わされる出力ギヤ３６が設けられている。以上が本実施形態に係るモータ装置１０の基本構造である。
【００２７】
次に、本実施形態に係るモータ装置１０が有するブラシホルダ５０について詳細に説明する。図２，図３に示されるように、ブラシホルダ５０は、樹脂によって一体成形されたホルダ本体５１および筒部５２を有する。図１に示されるように、ブラシホルダ５０のホルダ本体５１がモータハウジング４０の開口部４２の内側に嵌合されている。つまり、ホルダ本体５１は、モータハウジング４０の開口部４２に嵌合し、当該開口部４２を閉塞する閉塞部または嵌合部でもある。
【００２８】
図２，図３に示されるように、ホルダ本体５１は、隔壁部５３ａと、当該隔壁部５３ａから立ち上がる側壁部５３ｂと、を有する。図２に示されるように、筒部５２は、ホルダ本体５１の隔壁部５３ａの表側に設けられている。言い換えれば、筒部５２が設けられている側が隔壁部５３ａの表側である。図１に示されるように、筒部５２は、アーマチュア軸４６ａの軸方向に延びている。また、図２に示されるように、筒部５２は、ホルダ本体５１の隔壁部５３ａに連接している根元側の外径が最も大きく、先端側に向かうにしたがって次第に外径が小さくなる先細りに形成されている。
【００２９】
図１に示されるように、ホルダ本体５１の隔壁部５３ａは、当該ホルダ本体５１がモータハウジング４０の開口部４２に嵌合されたときに、モータハウジング４０の底部４１と対向し、開口部４２の大部分を閉塞する。図３に示されるように、ブラシホルダ５０の内側（隔壁部５３ａの裏側）には、コンミテータ収容部５４が設けられており、このコンミテータ収容部５４の内側にコンミテータ４８（図１）が配置されている。さらに、コンミテータ収容部５４の周囲には、２つのブラシ保持部５５が設けられており、それぞれのブラシ保持部５５にブラシ７０およびバネ部材７１（図１）が収容され、保持されている。また、ブラシ保持部５５に収容されているブラシ７０にはピグテール７２が接続されている。尚、図３に示されているブラシ７０は、ブラシ保持部５５内に後退している。しかし、実際のブラシ７０は、図１に示されているバネ部材７１による付勢によって前進し、ブラシ保持部５５の窓５５ａを通じてコンミテータ４８の整流子片に接触する。
【００３０】
図２に示されるように、ブラシホルダ５０には電子部品保持部５６が設けられている。より具体的には、ホルダ本体５１の隔壁部５３ａに二つの電子部品保持部５６が形成されており、それぞれの電子部品保持部５６にコンデンサ７３が収容され、保持されている。図４に示されるように、それぞれの電子部品保持部５６は、コンデンサ７３を受け入れ可能な形状および大きさの凹部であり、隔壁部５３ａの表側において開口している。一方、コンデンサ７３は、本体７４と、本体７４の底面から延出する２本のリード線７５ａ，７５ｂと、を備える電子部品の一つである。コンデンサ７３は、本体７４の底面側から電子部品保持部５６に挿入され、電子部品保持部５６内に収容されている。
【００３１】
図３に示されるように、コンデンサ７３のリード線７５ａ，７５ｂは、隔壁部５３ａを貫通して当該隔壁部５３ａの裏側に引き出されている。さらに、隔壁部５３ａの裏側に引き出されているリード線７５ｂは、ブラシホルダ５０の内側において端子７６に接続されている。一方、隔壁部５３ａの裏側に引き出されているリード線７５ａは、複数回折り曲げられてブラシホルダ５０の外側に引き出され、ブラシホルダ５０の外面に設けられている保持部５７に収容され、保持されている。
【００３２】
図２，図３に示されるように、ブラシホルダ５０の外側においてリード線７５ａを保持する保持部５７は、ホルダ本体５１の側壁部５３ｂの外周面に形成された溝であって、リード線７５ａの直径と略同一の幅を有する。以下の説明では、保持部５７としての溝を「保持溝５７」と呼ぶ。
【００３３】
図５に示されるように、ホルダ本体５１には、リード線７５ａを保持溝５７へ案内する案内部５８が設けられている。この案内部５８は、リード線７５ａを互いに異なる方向に案内する第１案内部５８ａおよび第２案内部５８ｂを含んでいる。第１案内部５８ａは、リード線７５ａを第２案内部５８ｂへ向けて案内し、第２案内部５８ｂは、リード線７５ａを保持溝５７へ向けて案内する。本実施形態における第１案内部５８ａは、アーマチュア軸４６ａ（図１）に沿って形成され、隔壁部５３ａを貫通する穴である。また、本実施形態における第２案内部５８ｂは、一端が第１案内部５８ａに連通し、他端が保持溝５７に連通する溝である。そこで、以下の説明では、第１案内部５８ａを「案内穴５８ａ」と呼び、第２案内部５８ｂを「案内溝５８ｂ」と呼ぶ。つまり、ブラシホルダ５０には、コンデンサ７３のリード線７５ａを保持する保持溝５７と、コンデンサ７３のリード線７５ａを案内する案内穴５８ａおよび案内溝５８ｂと、が設けられている。
【００３４】
保持溝５７および案内穴５８ａは、アーマチュア軸４６ａ（図１）の軸方向と平行な方向に延びている。一方、案内溝５８ｂは、アーマチュア軸４６ａ（図１）の軸方向と交差する方向（本実施形態では、軸方向と直交する方向）に延びている。この結果、案内穴５８ａに挿通されているリード線７５ａの一部は、当該案内穴５８ａによって保持されるとともに、アーマチュア軸４６ａ（図１）の軸方向に延びている。また、案内溝５８ｂに収容されているリード線７５ａの他の一部は、当該案内溝５８ｂによって保持されるとともに、アーマチュア軸４６ａ（図１）の軸方向と直交する方向に延びている。また、保持溝５７に収容されているリード線７５ａのさらに他の一部は、当該保持溝５７によって保持されるともに、アーマチュア軸４６ａ（図１）の軸方向に延びている。以下の説明では、案内穴５８ａに挿通されているリード線７５ａの一部を「基端部」、案内溝５８ｂに収容されているリード線７５ａの他の一部を「中間部」、保持溝５７に収容されているリード線７５ａのさらに他の一部を「先端部」と呼んで区別する場合がある。もっとも、かかる区別は説明の便宜上の区別に過ぎない。
【００３５】
上記のように、リード線７５ａの中間部は、その手前の基端部に対して９０度屈曲している。また、リード線７５ａの先端部は、その手前の中間部に対して９０度屈曲している。言い換えれば、リード線７５ａの基端部および先端部は、中間部に対してそれぞれ９０度屈曲している。要するに、リード線７５ａは略コ字形に折り曲げられている。
【００３６】
図６，図７に示されるように、案内溝５８ｂは、底部６０と、底部６０から立ち上がり、かつ、互いに対向する一対の内側部６１，６２と、を備えている。内側部６１，６２は、底部６０に近づくほど対向間隔が狭くなるように傾斜している。言い換えれば、内側部６１，６２はテーパ面である。この結果、案内溝５８ｂの幅は、底部６０に近づくほど狭くなっている。言い換えれば、案内溝５８ｂは、上方から下方に向かって次第に幅が狭くなっている。具体的には、図７に示される案内溝５８ｂの底部６０の幅Ｗ１は、リード線７５ａ（図６）の直径と略同一である。一方、同図に示される案内溝５８ｂの上部の幅Ｗ２は、底部６０の幅Ｗ１よりも広く、かつ、案内溝５８ｂの最大幅である。
【００３７】
図４に示されるようにしてコンデンサ７３を電子部品保持部５６に収容すると、図６に示されるように、リード線７５ｂは、端子７６に設けられている接続穴に挿通され、リード線７５ａは、案内穴５８ａ（図７）に挿通される。さらに、リード線７５ａの一部は、案内穴５８ａを貫通して当該案内穴５８ａから突出する。
【００３８】
図８に示されるように、案内穴５８ａ（図７）から突出したリード線７５ａの一部は、案内穴５８ａの縁を支点として略９０度折り曲げられて案内溝５８ｂに収容される。このようにして案内溝５８ｂに収容されたリード線７５ａの一部が上記「中間部」である。このとき、案内溝５８ｂの幅が上方から下方に向かって次第に狭くなっているので、リード線７５ａを対向する内側部６１，６２の間に容易かつ確実に導入することができる。また、案内溝５８ｂの内側部６１，６２が底部６０に近づくほど対向間隔が狭くなるように傾斜しているので、内側部６１，６２の間に導入されたリード線７５ａは、内側部６１，６２の傾斜によって案内溝５８ｂ内の所定位置に案内される。つまり、対向する内側部６１，６２の間に導入したリード線７５ａを容易かつ確実に、案内溝５８ｂ内の所定位置に収容することができる。
【００３９】
尚、リード線７５ａの中間部よりも先の部分は、案内溝５８ｂと保持溝５７との交点を支点として略９０度折り曲げられて保持溝５７に収容される。このようにして保持溝５７に収容されたリード線７５ａの一部が上記「先端部」である。ここで、保持溝５７の深さは、リード線７５ａの直径よりも若干浅い。よって、リード線７５ａの先端部を保持溝５７に収容すると、図９に示されるように、リード線７５ａの先端部の径方向一部がホルダ本体５１の外周面よりも径方向外側に突出する（出っ張る）。この結果、図１０に示されるように、ホルダ本体５１をモータハウジング４０の開口部４２の内側に嵌合させると、保持溝５７によって保持されているリード線７５ａの先端部が、ホルダ本体５１とモータハウジング４０との間に挟まれ、モータハウジング４０の内周面に圧接される。
【００４０】
再び図２を参照する。電子部品保持部５６に収容されているコンデンサ７３の近傍には、電子部品の他の一つであるキャパシタ７７が配置されている。また、筒部５２の径方向両側には、チョークコイル７８がそれぞれ設けられている。さらに、筒部５２を挟んで電子部品（コンデンサ７３およびキャパシタ７７）と反対側には、それぞれのチョークコイル７８と電気的に接続されている一対の接続端子（オス型端子７９）が設けられている。尚、図２では、一方のオス型端子７９のみが図示されているが、図示されているオス型端子７９の隣にも同様のオス型端子が存在している。かかる一対のオス型端子７９には、外部コネクタ８０（図１）が備えるメス型端子がそれぞれ接続される。つまり、ホルダ本体５１の隔壁部５３ａの表側には、複数の電子部品（コンデンサ７３やキャパシタ７７）および一対のオス型端子７９が設けられている。さらに、それら電子部品は、筒部５２の径方向一側に配置されており、一対のオス型端子７９は、筒部５２の径方向他側に配置されている。言い換えれば、複数の電子部品は、外部コネクタ８０（図１）が接続される側（オス型端子７９が設けられている側）とは、アーマチュア軸４６ａ（図１）を挟んで反対側に配置されている。このように、外部コネクタ８０（図１）が接続される側とは反対側にコンデンサ７３を含む電子部品を配置することによって、ブラシホルダ５０上のスペースが有効活用され、ブラシホルダ５０の小型化が実現され、ひいてはモータ装置１０の小型化が実現される。言い換えれば、外部コネクタ８０（図１）が接続される側とは反対側に電子部品保持部５６を設けることによって、ブラシホルダ５０上のスペースが有効活用され、ブラシホルダ５０の小型化が実現され、ひいてはモータ装置１０の小型化が実現される。
【００４１】
尚、本実施形態に係るモータ装置１０の駆動電流は、図２に示されているオス型端子７９，チョークコイル７８および接続導体（不図示）を経由して、図３に示されているピグテール７２に供給される。そして、コンデンサ７３の一方のリード線７５ｂが接続されている端子７６は、上記接続導体の一部である。つまり、コンデンサ７３のリード線７５ｂは、駆動電流の供給路に接続されており（図３）、コンデンサ７３のリード線７５ａは、アースとしてのモータハウジング４０に接続されている（図１０）。したがって、ブラシ７０とコンミテータ４８との間における電磁ノイズの発生がコンデンサ７３によって防止または抑制される。言い換えれば、コンデンサ７３は、ブラシ７０とコンミテータ４８との間における電磁ノイズの発生を防止または抑制するための電子部品である。
【００４２】
本発明は上記実施形態に限定されるものではなく、その要旨を逸脱しない範囲で種々変更可能である。例えば、電子部品保持部によって保持される電子部品はコンデンサに限られない。つまり、ブラシホルダに設けられている案内部によって案内され、かつ、ブラシホルダに設けられている保持部によって保持されるリード線は、コンデンサ以外の電子部品が備えるリード線であってもよい。いずれにしても、本発明のモータ装置が有するブラシホルダには、電子部品のリード線を保持する保持部に加えて、保持部にリード線を案内するとともに、当該リード線を保持する案内部が設けられている。よって、モータ装置のハウジングに内蔵されている電子部品のリード線が、当該ハウジングに設けられている所定の保持部に容易かつ確実に収容される。
【符号の説明】
【００４３】
１０    モータ装置
１１    ネジ
２０    モータ部
３０    ギヤ部
３１    ギヤハウジング
３２    回転センサ
３３    ウォームギヤ
３４    ウォームホイール
３５    出力軸
３６    出力ギヤ
４０    モータハウジング
４１    底部
４２    開口部
４３    周壁部
４３ａ    平坦部
４３ｂ    円弧部
４４    マグネット
４５    コイル
４６    アーマチュア
４６ａ    回転軸（アーマチュア軸）
４７ａ    第１軸受
４７ｂ    第２軸受
４８    コンミテータ
４９    センサマグネット
５０    ブラシホルダ
５１    ホルダ本体
５２    筒部
５３ａ    隔壁部
５３ｂ    側壁部
５４    コンミテータ収容部
５５    ブラシ保持部
５５ａ    窓
５６    電子部品保持部
５７    保持部（保持溝）
５８    案内部
５８ａ    第１案内部（案内穴）
５８ｂ    第２案内部（案内溝）
６０    底部
６１，６２    内側部
７０    ブラシ
７１    バネ部材
７２    ピグテール
７３    コンデンサ
７４    本体
７５ａ，７５ｂ    リード線
７６    端子
７７    キャパシタ
７８    チョークコイル
７９    オス型端子
８０    外部コネクタ
【図１】
2020171081.tif 000003
【図２】
2020171081.tif 000004
【図３】
2020171081.tif 000005
【図４】
2020171081.tif 000006
【図５】
2020171081.tif 000007
【図６】
2020171081.tif 000008
【図７】
2020171081.tif 000009
【図８】
2020171081.tif 000010
【図９】
2020171081.tif 000011
【図１０】
2020171081.tif 000012